(57)【要約】【課題】トレーラハウスのユニットを接続した後の屋根の造作を不要にする。【解決手段】天板部分が防水加工されたユニットを平面または立体的に組み合わせユニット同士を連結して構成されるトレーラハウスにおいて、ユニット１，２の天板１ａ，２ａの接続面近傍に接続面と平行に雨樋を兼ねて断面略四角形の溝１ｂ，１ｃ，２ｂ，２ｃを形成し、接続されたユニット同士の接続面近傍の両方の前記溝に断面略コ字状のカバー５を掛け渡し、前記カバー５とカバー下方のユニット接続部上面の水平部分との間に第１の弾性パッキン６を挟着し、前記カバー５とカバー内側の溝の垂直面部との間に第２の弾性パッキン７，８を挟着する。【選択図】  図１
2004183365.tif 000002
【特許請求の範囲】
【請求項１】
天板部分が防水加工されたユニットを平面または立体的に組み合わせユニット同士を連結して構成されるトレーラハウスにおいて、
ユニットの天板の接続面近傍に接続面と平行に雨樋を兼ねて形成された断面略四角形の溝と、
接続されたユニット同士の接続面近傍の両方の前記溝に掛け渡される断面略コ字状のカバーと、
を備えたことを特徴とするトレーラハウス。
【請求項２】
請求項１に記載のトレーラハウスにおいて、
前記カバーとカバー下方のユニット接続部上面の水平部分との間に挟着される第１の弾性パッキンと、
前記カバーとカバー内側の溝の垂直面部との間に挟着される第２の弾性パッキンと、
前記第２の弾性パッキンの外側のカバーの外側から第２の弾性パッキンを貫通して溝の垂直面部にカバーを取り付ける固定ボルトと、
を備えたことを特徴とするトレーラハウス。
【請求項３】
請求項１または２に記載のトレーラハウスにおいて、
前記溝の外側天板部のレベルをその内側の天板部のレベルよりも上昇させるとともに、前記溝の内側天板の複数の適位置に前記上昇した溝の外側天板部のレベルよりも上位の突起部を形成し、かつ前記カバーの両端を内側にレ字状に折り返したことを特徴とするトレーラハウス。
【請求項４】
請求項１または２または３に記載のトレーラハウスにおいて、
ユニットの天板部のほぼ中央部分に前記溝と平行に雨樋を兼ねて形成された断面略四角形の溝と、
この溝に対応するユニットの底板部下側の位置に形成された前記溝に対応する形状の凸部と、
を備えたことを特徴とするトレーラハウス。
【発明の詳細な説明】
【０００１】
【発明の属する技術分野】
本発明は、移動および増設や縮小が可能なユニット家屋を組み合わせてなるトレーラハウスに関する。
【０００２】
【従来の技術】
アパート経営では、一旦建築したアパートの規模をその後の都合により拡張したり縮小したい場合がある。また、一般の住宅でも、家族構成の変動に合わせて、拡張したり縮小したい場合がある。この要望を実現する建築方式としてトレーラハウスが用いられている。トレーラハウスでは、ユニットを平面的、立体的に組み合わせて接続する構造であるため、増築および縮小が可能である。
【０００３】
【発明が解決しようとする課題】
しかしながら、通常、トレーラハウスは、ユニットの天板部分は防水加工がしてあるものの、ユニット同士の接続部分となる壁には防水加工がしていない。そのためユニットを横方向に連結した場合、ユニット同士の接続部分の最上部分から壁を伝わって雨漏りするおそれがある。その対策として、全ユニットの天板部分全体に新たに屋根を作成する必要があった。そこで本発明は、ユニットの接続部分の雨漏りを防ぐことにより、屋根の作成を不要としたトレーラハウスを提案することを課題とした。
【０００４】
【課題を解決するための手段】
上記課題を解決するために、請求項１の発明は、天板部分が防水加工されたユニットを平面または立体的に組み合わせユニット同士を連結して構成されるトレーラハウスにおいて、ユニットの天板の接続面近傍に接続面と平行に雨樋を兼ねて形成された断面略四角形の溝と、接続されたユニット同士の接続面近傍の両方の前記溝に掛け渡される断面略コ字状のカバーとを備えたことを特徴とする。
【０００５】
請求項２の発明は、請求項１の発明において、前記カバーとカバー下方のユニット接続部上面の水平部分との間に挟着される第１の弾性パッキンと、前記カバーとカバー内側の溝の垂直面部との間に挟着される第２の弾性パッキンと、前記第２の弾性パッキンの外側のカバーの外側から第２の弾性パッキンを貫通して溝の垂直面部にカバーを取り付ける固定ボルトとを備えたことを特徴とする。
【０００６】
請求項３の発明は、請求項１または２の発明において、前記溝の外側天板部のレベルをその内側の天板部のレベルよりも上昇させるとともに、前記溝の内側天板の複数の適位置に前記上昇した溝の外側天板部のレベルよりも上位の突起部を形成し、かつ前記カバーの両端を内側にレ字状に折り返したことを特徴とする。
【０００７】
請求項４の発明は、請求項１または２または３の発明において、ユニットの天板部のほぼ中央部分に前記溝と平行に雨樋を兼ねて形成された断面略四角形の溝と、この溝に対応するユニットの底板部下側の位置に形成された前記溝に対応する形状の凸部とを備えたことを特徴とする。
【０００８】
【発明の実施の形態】
以下、図に基づいて本発明の実施形態を説明する。図１は本発明の第１の実施形態に係るトレーラハウスのユニットを接続した状態を示す断面図、図２は図１の要部を拡大した断面図、図３は図１の斜視図である。これらの図において、１，２はトレーラハウスを構成するユニットであり、ユニット１，２の天板１ａ，２ａはスチールパネルにＦＲＰを積層し防水加工されている。天板１ａ，２ａの両端部には接続部と平行に断面略四角形の雨樋を兼ねた溝１ｂ，１ｃ，２ｂ，２ｃが形成されている。ユニット１，２を接続する場合は、ユニット１，２の内側からボルト３，４等により互いに接続される。
【０００９】
ユニット１，２が接続されると、次は、接続部の両側に平行に形成されている溝１ｃ，２ｂに、断面略コ字状のカバー５を被せる。カバー５とその内側のユニット１とユニット２の接続面の上端部との間に第１のゴムパッキン６が挟みこまれ、カバー５とその内側の溝１ｃ，２ｂの外側の垂直面部との間に第２のゴムパッキン７，８が挟みこまれる。さらに、第２のゴムパッキン７，８の外側のカバー５の外側から第２のゴムパッキン７，８を貫通して溝１ｃ，２ｂの垂直面部に固定ボルト９，１０が取り付けられてカバー５が固定される。
【００１０】
このようにユニット１，２の接続部の上端をカバー５で覆ったことで、接続部上端からの雨漏りが防止され、従来必要であったユニット１，２の天板１ａ，２ａの上の屋根の造作が不要となる。また、その結果、溝１ｂ，１ｃ，２ｂ，２ｃが雨樋として機能し、雨水を速やかに排出することが可能となる。
【００１１】
図４は本発明の第２の実施形態に係るトレーラハウスのユニットを接続した状態を示す斜視図、図５は図４の要部を拡大した断面図である。この第２の実施形態は、基本的な構成は図１の第１の実施形態と共通であり、異なるのはカバー５Ａの両端を内側にレ字状に折り返したことと天板の各部のレベルを変えたことである。すなわち、ユニット１，２の天板１ａ，２ａのレベルをＬとすると、カバー５Ａで覆われる部分の天板１ｄ，２ｄのレベルを溝１ｂ，１ｃ，２ｂ，２ｃの深さの４分の１程度高くする。
【００１２】
それにより、天板１ｄと天板２ｄの接続部のレベルが、溝１ｂ，１ｃ，２ｂ，２ｃが雨水で満杯になったときの水位よりも高くなり、カバー５Ａの内側を伝わっての接続部からの雨漏りが確実に防がれる。なお、天板１ｄ，２ｄのレベルを高くしたことで、このままでは、ユニット１，２を上下に積み重ねる場合に、天板１ｄ，２ｄの部分に荷重が集中する。それを回避するため、天板１ａ，２ａの任意の位置に、天板１ｄ，２ｄのレベルよりも上位の突起部としてＨ鋼１ｅ，１ｆ，２ｅ，２ｆを溝と直交する方向に配置した。
【００１３】
さらに、ユニット１，２の底板の下面に、Ｈ鋼１ｅ，１ｆ，２ｅ，２ｆと交差する方向（溝方向と平行）にＨ鋼１ｇ，２ｇを配置し、ユニット１，２を上下に重ねたとき、Ｈ鋼１ｇ，２ｇが下側のユニットの溝１ｈ，２ｈに嵌合するようにした。また、図４および図５の第２の実施形態の構成で図１〜図３の第１の実施形態と共通する部分は同一の符号を付して説明を省略した。なお、図５中の１１は、ユニット１，２の当接部の上端に挟着した第３のゴムパッキンである。
【００１４】
図６は本発明の第３の実施形態に係るトレーラハウスのユニットを接続した状態を示す側面図である。この第３の実施形態は、基本的な構成は図１の第１の実施形態と共通であり、異なるのは、ユニット１，２の天板１ａ，２ａの中央部分に溝１ｂ，１ｃ，２ｂ，２ｃと平行に雨樋を兼ねた溝１ｈ，２ｈを形成するとともに、ユニット１，２の底板部下側の、溝１ｈ，２ｈに対応する位置に溝１ｈ，２ｈに対応する形状の凸部１ｊ，２ｊを形成したことである。それにより、ユニット１，２を上下に重ねる場合に、溝１ｈ，２ｈと凸部１ｊ，２ｊを嵌合させることにより上下間での位置合わせが容易になるとともに、ユニット１，２の横方向の接続の補強ともなる。なお、図６の第３の実施形態の構成で図１〜図３の第１の実施形態と共通する部分は同一の符号を付して説明を省略した。
【００１５】
図７〜図１０は、本発明に係るトレーラハウスによる家屋の規模の変化を示す一例である。図７は単身時代に２個のユニットにより家屋を構成した場合を示す。図８はやがて結婚して夫婦２人の時代にはユニットを１個追加する。図９は次に、子供が生まれて家族３人の時代になるとさらにユニットを１個追加する。図１０はさらに、子供が生まれて家族４人の時代になるとまたさらにユニットを２個追加して２階建てとする。なお、各図でユニットの上に屋根の造作がしてあるが、上述したように、本発明に係るトレーラハウスのユニットは雨漏りがしないため、美観上設けたものであり、屋根の防水については配慮しなくてすむ。
又、図１１は屋根を傾斜させた場合の断面図を示すもので、屋根を傾斜させた場合にも同様に応用が可能である。
【００１６】
【発明の効果】
以上述べたように請求項１の発明によれば、ユニットの天板の接続面近傍に接続面と平行に断面略四角形の溝を雨樋を兼ねて形成し、接続されたユニット同士の接続面近傍の両方の前記溝に断面略コ字状のカバーを掛け渡したことで、天板の接続部からの雨漏りが解消されて、ユニットの天板の上に屋根を架けることが不要となる。
【００１７】
請求項２の発明によれば、溝に掛け渡された断面略コ字状のカバーの内側の水平部と垂直部の内側にそれぞれ第１および第２のゴムパッキンを挟着し、さらに第２のゴムパッキンの外側のカバーの外側から第２のゴムパッキンを貫通して固定ボルトにより溝の垂直面部にカバーを取り付けたことで、カバーが風雨に対して安定するとともに防水性も向上する。
【００１８】
請求項３の発明によれば、溝の外側天板部のレベルをその内側天板部のレベルよりも上昇させるとともに、前記溝の内側天板の複数の適位置に前記上昇した溝の外側天板部のレベルよりも上位の突起部を形成し、かつ前記カバーの両端を内側にレ字状に折り返したことで、ユニットとユニットとの接続位置が雨樋を兼ねた溝の満水時の水位より上位となり、カバーの内側を伝わっての雨漏りが防がれるとともに、ユニットを上下に重ねた場合に接続位置の天板部分に荷重が集中することが防がれる。
【００１９】
請求項４の発明によれば、ユニットの天板部のほぼ中央部分に前記溝と平行に雨樋を兼ねて断面略四角形の溝を形成し、この溝に対応するユニットの底板部下側の位置に前記溝に対応する形状の凸部を形成したことで、ユニットを上下に重ねる場合に、溝と凸部を嵌合させることにより上下間での位置合わせが容易になるとともに、ユニットの横方向の接続の補強ともなる。
【図面の簡単な説明】
【図１】本発明の第１の実施形態に係るトレーラハウスのユニットを接続した状態を示す断面図である。
【図２】図１の要部を拡大して示した断面図である。
【図３】図１の斜視図である。
【図４】本発明の第２の実施形態に係るトレーラハウスのユニットを接続した状態を示す斜視図である。
【図５】図４の要部を拡大して示した断面図である。
【図６】本発明の第３の実施形態に係るトレーラハウスのユニットを接続した状態を示す側面図である。
【図７】本発明に係るトレーラハウスによる家屋の規模の変化を示す一例である。
【図８】本発明に係るトレーラハウスによる家屋の規模の変化を示す一例である。
【図９】本発明に係るトレーラハウスによる家屋の規模の変化を示す一例である。
【図１０】本発明に係るトレーラハウスによる家屋の規模の変化を示す一例である。
【図１１】屋根を傾斜させた場合の断面図である。
【符号の説明】
１  ユニット
１ａ  天板
１ｂ，１ｃ  溝
１ｄ  天板
１ｅ，１ｆ  １ｇ  Ｈ鋼
１ｈ  溝
１ｊ  凸部
２  ユニット
２ａ  天板
２ｂ，２ｃ  溝
２ｄ  天板
２ｅ，２ｆ，２ｇ  Ｈ鋼
２ｈ  溝
２ｊ  凸部
３，４  ボルト
５，５Ａ  カバー
６  第１のゴムパッキン
７，８  第２のゴムパッキン
９，１０  固定ボルト
１１  第３のゴムパッキン
Ｌ  天板のレベル
【図１】
2004183365.tif 000003
【図２】
2004183365.tif 000004
【図３】
2004183365.tif 000005
【図４】
2004183365.tif 000006
【図５】
2004183365.tif 000007
【図６】
2004183365.tif 000008
【図７】
2004183365.tif 000009
【図８】
2004183365.tif 000010
【図９】
2004183365.tif 000011
【図１０】
2004183365.tif 000012
【図１１】
2004183365.tif 000013